(57)【要約】【課題】  径の異なる断面丸形の送風ダクトに取付ける場合でもアダプタの大幅なコストダウンを図るとともに、汎用性及び柔軟適用性を高め、加えて、取付作業の容易化及び信頼性向上を図る。【解決手段】  測定装置取付器２０を支持する平坦面により形成した支持面２ｆを有し、かつ中央に挿通口２ｈを設けた剛性を有する支持盤部２と、この支持盤部２から１８０〔゜〕反対方向にそれぞれ延出し、かつ当該支持盤部２に対して、先端側の取付部位３ａｃ，３ｂｃが変位可能となる一対の取付プレート部３ａ，３ｂと、支持面２ｆに対して反対側となる裏面２ｒに、挿通口２ｈを囲むように一端面４ｓを固着するとともに、少なくとも送風ダクトＤの外周面Ｄｆに取付けた際に、当該外周面Ｄｆに他端面４ｔが圧接する弾性素材Ｒｄにより形成した筒形のシール部材４とを備える。【選択図】  図１
2010121862.tif 000002
【特許請求の範囲】
【請求項１】
測定装置取付器を断面丸形の送風ダクトの外周面に取付けるための送風ダクトの測定装置取付器用アダプタであって、前記測定装置取付器を支持する平坦面により形成した支持面を有し、かつ中央に挿通口を設けた剛性を有する支持盤部と、この支持盤部から１８０〔゜〕反対方向にそれぞれ延出し、かつ当該支持盤部に対して、先端側の取付部位が変位可能となる一対の取付プレート部と、前記支持面に対して反対側となる裏面に、前記挿通口を囲むように一端面を固着するとともに、少なくとも送風ダクトの外周面に取付けた際に、当該外周面に他端面が圧接する弾性素材により形成した筒形のシール部材とを備えることを特徴とする送風ダクトの測定装置取付器用アダプタ。
【請求項２】
前記一対の取付プレート部は、前記支持盤部に対して一端側を固定し、かつ柔軟性を有する素材により形成することを特徴とする請求項１記載の送風ダクトの測定装置取付器用アダプタ。
【請求項３】
前記一対の取付プレート部は、前記支持盤部に対してヒンジ部により一端側を回動可能に取付けることを特徴とする請求項１記載の送風ダクトの測定装置取付器用アダプタ。
【発明の詳細な説明】
【技術分野】
【０００１】
本発明は、測定装置取付器を断面丸形の送風ダクトの外周面に取付けるための送風ダクトの測定装置取付器用アダプタに関する。
【背景技術】
【０００２】
一般に、空調設備等における送風ダクトには、ダクト内部の温度，圧力，風量等を測定する測定装置を取付けるための測定装置取付器を備えている。この測定装置取付器は、一側を送風ダクトの外周面に取付けるとともに、他側に設けた接続口に所定の測定装置を取付けることができるようにしたものであり、この接続口は、測定装置取付器の内部及び送風ダクトの外周面に形成した貫通口を通して送風ダクトの内部に連通する。
【０００３】
従来、このような測定装置取付器としては、特許文献１で開示されるダクトの測定口構造で開示されるダクト内部測定用センサ取付具が知られている。このセンサ取付具は、基部，閉鎖部材，ゴムパッキンを備えており、不使用時には、閉鎖部材により閉鎖され、測定時には、閉鎖部材を取外して基部の中央孔から各種のセンサをダクト内へ挿入することができる。また、センサ取付具をダクトに取付けるに際しては、ダクト側面にダクト内を目視点検し得る大きさの内部点検用開口部を設け、センサ取付具を具備する取付板を開口部に対して取外し可能に取付ける。
【特許文献１】実開昭６２−１３４０２８号公報
【発明の開示】
【発明が解決しようとする課題】
【０００４】
しかし、上述した従来のセンサ取付具（測定装置取付器）は、次のような問題点があった。
【０００５】
第一に、センサ取付具は、平坦面に取付けることを想定しているため、外周面が曲面となる断面丸形の送風ダクトの場合には、当該外周面に直接取付けることができない。このため、通常、測定装置取付器を支持する平坦面により形成した支持面を有するアダプタを介して取付けているが、断面丸形の送風ダクトの場合、径の異なるダクト毎に異なる形状を有する専用のアダプタが必要となる。結局、径の異なる他の送風ダクトに転用できないなど、汎用性及び柔軟適用性に欠けるとともに、アダプタのコストアップ要因となる。
【０００６】
第二に、センサ取付具に外周面の曲面に沿った加工を施す必要があるため、製造加工の側面からもコストアップを招くとともに、送風ダクトの外周面に取付けた際にフィットさせにくい。したがって、取付品質の低下やバラツキを生じやすいとともに、シーリング性能を確保するため、取付時におけるネジの固定個所を増やす必要があるなど、取付作業も面倒になる。
【０００７】
本発明は、このような背景技術に存在する課題を解決した測定装置取付器用アダプタの提供を目的とするものである。
【課題を解決するための手段】
【０００８】
本発明は、上述した課題を解決するため、測定装置取付器２０を断面丸形の送風ダクトＤの外周面Ｄｆに取付けるための送風ダクトの測定装置取付器用アダプタ１であって、測定装置取付器２０を支持する平坦面により形成した支持面２ｆを有し、かつ中央に挿通口２ｈを設けた剛性を有する支持盤部２と、この支持盤部２から１８０〔゜〕反対方向にそれぞれ延出し、かつ当該支持盤部２に対して、先端側の取付部位３ａｃ，３ｂｃが変位可能となる一対の取付プレート部３ａ，３ｂと、支持面２ｆに対して反対側となる裏面２ｒに、挿通口２ｈを囲むように一端面４ｓを固着するとともに、少なくとも送風ダクトＤの外周面Ｄｆに取付けた際に、当該外周面Ｄｆに他端面４ｔが圧接する弾性素材Ｒｄにより形成した筒形のシール部材４とを備えることを特徴とする。
【０００９】
この場合、発明の好適な態様により、一対の取付プレート部３ａ，３ｂは、支持盤部２に対して一端側３ａｓ，３ｂｓを固定し、かつ柔軟性を有する素材Ｒｆにより形成してもよいし、或いは支持盤部２に対してヒンジ部３１ａ，３１ｂにより一端側３ａｓ，３ｂｓを回動可能に取付けてもよい。
【発明の効果】
【００１０】
このような構成を有する本発明に係る送風ダクトの測定装置取付器用アダプタ１によれば、次のような顕著な効果を奏する。
【００１１】
（１）  径の異なる断面丸形の送風ダクトＤに測定装置取付器２０を取付ける場合であっても、一種類のアダプタ１を用意すれば足りるとともに、曲面形状にフィットさせるための加工が不要になるため、大幅なコストダウンを図ることができる。
【００１２】
（２）  径の異なる様々なタイプの送風ダクトＤをはじめ、断面楕円形の送風ダクトＤに対しても使用可能となるなど、汎用性及び柔軟適用性に優れる。
【００１３】
（３）  送風ダクトＤへの取付けに際しては、曲面形状に対して容易にフィットさせることができるため、取付品質をより高めることができるとともに、シーリング性能を確保しやすいため、無用な空気漏れの虞れや取付時のネジによる固定個所の増加などを回避でき、取付作業の容易化、更には信頼性向上を図ることができる。
【００１４】
（４）  好適な態様により、一対の取付プレート部３ａ，３ｂを、支持盤部２に対して一端側３ａｓ，３ｂｓを固定し、かつ柔軟性を有する素材Ｒｆにより形成すれば、少ない部品点数により比較的簡易に構成できるため、コスト的に有利に実施できるとともに、送風ダクトＤに取付ける際にも、より柔軟に取付けることができる。
【００１５】
（５）  好適な態様により、一対の取付プレート部３ａ，３ｂを、支持盤部２に対してヒンジ部３１ａ，３１ｂにより一端側３ａｓ，３ｂｓを回動可能に取付ければ、剛性を有する取付プレート部３ａ，３ｂを使用できるため、取付強度（機械的強度）をより高めることができる。
【発明を実施するための最良の形態】
【００１６】
次に、本発明に係る最良の実施形態を挙げ、図面に基づき詳細に説明する。
【００１７】
まず、本実施形態に係る測定装置取付器用アダプタ１の構成について、図１〜図４を参照して説明する。
【００１８】
測定装置取付器用アダプタ１（以下、アダプタ１と略記）は、図２〜図４に示すように、大別して、支持盤部２、一対の取付プレート部３ａ，３ｂ、シール部材４を備えて構成する。支持盤部２は、剛性を有する金属素材等を用いたプレート材により全体を円形に形成するとともに、周縁部には直角に折曲して偏平な円筒状部となる補強用のリブ部２ｃを一体形成する。また、支持盤部２の中央には円形の挿通口２ｈを形成するとともに、支持盤部２における他の位置には、複数（例示は四つ）の止ネジ挿通孔１１…を周方向へ等間隔で形成する。これにより、支持盤部２におけるリブ部２ｃを配した側の面が裏面２ｒとなり、リブ部２ｃの無い側の面が、後述する測定装置取付器２０を支持する平坦面により形成した支持面２ｆとなる。
【００１９】
一対の取付プレート部３ａ，３ｂは、柔軟性（弾性を含む）を有する素材Ｒｆ、例えば、バネ性を有するステンレス材等を用いた一枚のプレート材により形成する。即ち、細長いプレート部材３を用意し、中央位置を面直角方向にオフセットさせた形状に形成する。これにより、プレート部材３には、中央に位置する略正方形状の取付部３ｃ（図３参照）と、この取付部３ｃの両端から略直角方向に折曲延出した張出部３ｃａ，３ｃｂと、この張出部３ｃａ，３ｃｂの張出端から直角方向外方に折曲延出した一対の取付プレート部３ａ，３ｂが設けられ、各取付プレート部３ａ，３ｂの先端側が取付部位３ａｃ，３ｂｃとなる。各取付部位３ａｃ，３ｂｃには、それぞれ複数（例示は二つ）の止ネジ挿通孔１２ａ…，１２ｂ…を形成する。また、取付部３ｃの中央には、前述した挿通口２ｈと同じ大きさとなる円形の取付口３ｈを形成する。
【００２０】
そして、このプレート部材３は支持盤部２に取付ける。即ち、図２に示すように、支持盤部２の裏面２ｒに、プレート部材３の取付部３ｃを重ね、挿通口２ｈと取付口３ｈの位置を一致させるとともに、挿通口２ｈ及び取付口３ｈにハトメ部材１３を挿入し、カシメを行うことによりプレート部材３を支持盤部２に固定する。これにより、一対の取付プレート部３ａ，３ｂが支持盤部２から１８０〔゜〕反対方向にそれぞれ延出するとともに、一対の取付プレート部３ａ，３ｂの先端側に設けた取付部位３ａｃ，３ｂｃは、支持盤部２に対して変位可能となる。
【００２１】
シール部材４は、ゴム素材又は発泡樹脂素材等の弾性素材Ｒｄにより筒形に形成し、このシール部材４の一端面４ｓを、図２に示すように、支持面２ｆに対して反対側の面２ｒ、具体的には、プレート部材３側に位置するハトメ部材１３に接着剤等を用いて固着する。シール部材４は、リング状のハトメ部材１３に対して同軸上に位置させるため、ハトメ部材１３に固着した際に、挿通孔２ｈを囲むことができるように、その径方向の寸法を選定するとともに、取付プレート部３ａ，３ｂを送風ダクトＤの外周面Ｄｆに取付けた際に、当該外周面Ｄｆに他端面４ｔが圧接するように、その長さ寸法を選定する。以上の構成が本実施形態に係るアダプタ１となる。
【００２２】
次に、送風ダクトＤに対する本実施形態に係るアダプタ１の取付方法について、図１，図４及び図５を参照して説明する。
【００２３】
本実施形態に係るアダプタ１は、断面丸形の送風ダクトＤの外周面Ｄｆに取付けることができる。まず、図４に示すように、送風ダクトＤの外周面Ｄｆにおけるアダプタ１を取付ける部位に、挿通孔２ｈとほぼ同じ大きさとなる円形の貫通口Ｄｈを形成する。貫通口Ｄｈを形成したなら、アダプタ１におけるシール部材４の他端面４ｔを、当該貫通口Ｄｈを囲むように外周面Ｄｆに当接（圧接）させるとともに、図１に示すように、プレート部材３における張出部３ｃａ，３ｃｂの張出端を外周面Ｄｆに当接させ、この状態で一対の取付プレート部３ａ，３ｂを外周面Ｄｆに沿うように重ね合わせる。そして、止ネジ挿通孔１２ａ…，１２ｂ…の位置に対応する外周面Ｄｆにネジ孔Ｄａ…，Ｄｂ…を形成する。なお、アダプタ１の各部の寸法は解っているため、ネジ孔Ｄａ…，Ｄｂ…は予め外周面Ｄｆに形成してもよい。次いで、止ネジ１５ａ…，１５ｂ…を、止ネジ挿通孔１２ａ…，１２ｂ…を通してネジ孔Ｄａ…，Ｄｂ…に螺着し、一対の取付プレート部３ａ，３ｂを外周面Ｄｆに固定する。
【００２４】
このように、本実施形態に係るアダプタ１は、断面丸形の送風ダクトＤに対して容易に取付けることができる。また、取付後において、支持盤部２の挿通口２ｈは、取付口３ｈ，シール部材４の内部及び貫通口Ｄｈを通して送風ダクトＤの内部に連通するとともに、筒形のシール部材４は支持盤部２と外周面Ｄｆ間に圧縮した状態で介在し、十分なシーリング性能が確保される。特に、この実施形態では、一対の取付プレート部３ａ，３ｂを、支持盤部２に対して一端側３ａｓ，３ｂｓを固定し、かつ柔軟性を有する素材Ｒｆにより形成するため、少ない部品点数により比較的簡易に構成でき、コスト的に有利に実施できるとともに、送風ダクトＤに取付ける際にも、より柔軟に取付けることができる。図５は、径の大きい送風ダクトＤｍと径の小さい送風ダクトＤｓを共に仮想線で示しているが、このような径の異なる送風ダクトＤｍ，Ｄｓであっても、径の大きさに左右されることなく、アダプタ１を柔軟に取付けることができる。
【００２５】
次に、送風ダクトＤに取付けた本実施形態に係るアダプタ１の使用方法について、図１，図４及び図６を参照して説明する。
【００２６】
アダプタ１の支持面２ｆには測定装置取付器２０を取付ける。測定装置取付器２０は、図１及び図４に示すように、取付器本体２１とこの取付器本体２１に着脱するメインキャップ２２からなる。取付器本体２１は、テーパ筒形のハウジング部２３と、このハウジング部２３の一端（開口大側）に形成した固定部２４と、ハウジング部２３の他端（開口小側）に形成した接続口部２５を有し、この接続口部２５に対してネジ部によりメインキャップ２２が着脱する。また、メインキャップ２２は、中心から直角に突出したパイプ部２６を一体に有し、このパイプ部２６の先端にはネジ部により着脱するサブキャップ２７を備える。パイプ部２６の内部はメインキャップ部２２を通してハウジング部２３側に連通する。なお、サブキャップ２７はチェーン２８を介して取付器本体２１に連結し、サブキャップ２７の紛失を防止している。
【００２７】
そして、このような構成を有する測定装置取付器２０は、図１に示すように、固定部２４を、アダプタ１の支持面２ｆに当接させ、固定部２４に設けたネジ挿通孔と支持面２ｆに設けた止ネジ挿通孔１１…に通した固定ネジ（ナットを含む）２９…により固定部２４と支持盤部２を固定する。これにより、測定装置取付器２０をアダプタ１の支持面２ｆに取付けることができる。
【００２８】
測定装置取付器２０は、使用しない場合、図１に示すように、サブキャップ２７を付けたメインキャップ２２を接続口部２５に装着する。これにより、接続口部２５は閉塞され、測定装置取付器２０の密閉性が確保される。一方、図６（ａ）に示すように、温度測定装置４１により送風ダクトＤの内部温度を測定する場合には、メインキャップ２２を接続口部２５から取外し、温度測定装置４１のセンサ部４１ｓを接続口部２５から送風ダクトＤの内部に挿入することにより温度測定を行うことができる。他方、図６（ｂ）に示すように、圧力測定装置４２により送風ダクトＤの内部圧力を測定する場合には、メインキャップ２２を接続口部２５に装着したまま、パイプ部２６からサブキャップ２７を取外し、パイプ部２６の先端に圧力測定装置４２の圧力導入口４２ｉを接続することにより圧力測定を行うことができる。
【００２９】
このように、本実施形態に係るアダプタ１によれば、径の異なる断面丸形の送風ダクトＤに測定装置取付器２０を取付ける場合であっても、一種類のアダプタ１を用意すれば足りるとともに、曲面形状にフィットさせるための加工が不要になるため、大幅なコストダウンを図ることができる。また、径の異なる様々なタイプの送風ダクトＤをはじめ、断面楕円形の送風ダクトＤに対しても使用可能となるなど、汎用性及び柔軟適用性に優れる。しかも、送風ダクトＤへの取付けに際しては、曲面形状に対して容易にフィットさせることができるため、取付品質をより高めることができるとともに、シーリング性能を確保しやすいため、無用な空気漏れの虞れや取付時のネジによる固定個所の増加などを回避でき、取付作業の容易化、更には信頼性向上を図ることができる。
【００３０】
次に、本発明の変更実施形態に係るアダプタ１について、図７（ａ）〜（ｃ）を参照して説明する。
【００３１】
図７（ａ）は、一対の取付プレート部３ａ，３ｂを、支持盤部２に対して、例えば、蝶番を用いたヒンジ部３１ａ，３１ｂにより一端側３ａｓ，３ｂｓを回動可能に取付けた変更実施形態の正面図を示す。この場合であっても、一対の取付プレート部３ａ，３ｂの先端側に設けた取付部位３ａｃ，３ｂｃが、支持盤部２に対して変位可能となる構成が実現される。特に、このような変更実施形態を用いれば、剛性を有する取付プレート部３ａ，３ｂを使用できるため、取付強度（機械的強度）をより高めることができる。
【００３２】
図７（ｂ）は、支持盤部２の形状に係わる変更実施形態の平面図を示す。図３に示した実施形態は、支持盤部２の全体形状を円形に形成した場合を示したが、図７（ｂ）は、支持盤部２の全体形状を正方形に形成する場合を示す。また、補強用のリブ部２ｃ…は、相対向する二辺に設けるとともに、支持面２ｆ側に折曲した例を示す。
【００３３】
図７（ｃ）は、一対の取付プレート部３ａ，３ｂの構成に係わる変更実施形態の正面図を示す。図２に示した実施形態は、一対の取付プレート部３ａ，３ｂを構成するに際し、一枚のプレート部材３により一体形成した場合を示したが、図７（ｃ）は、一対の取付プレート部３ａ，３ｂをそれぞれ別体に形成するとともに、各取付プレート部３ａ，３ｂの一端側３ａｓ，３ｂｓに、Ｖ形に折曲形成した固定片部３ａｘ，３ｂｘを設け、この固定片部３ａｘ，３ｂｘを支持盤部２の裏面２ｒに溶接等により固定する場合を示す。
【００３４】
このように、本実施形態に係るアダプタ１は、同様の機能を有する以上、各種形態により実施可能である。なお、図７（ａ）〜（ｃ）において、図１〜図４と同一部分（同一機能部分）には同一符号を付してその構成を明確にするとともに、その詳細な説明は省略する。
【００３５】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３６】
例えば、一対の取付プレート部３ａ，３ｂを形成する素材Ｒｆとしてステンレス素材を挙げたが、素材Ｒｆとしては、金属素材をはじめ、合成樹脂素材等であってもよい。また、取付プレート部３ａ，３ｂをヒンジ部３１ａ，３１ｂにより取付けるに際しては、各取付プレート部３ａ，３ｂを複数に分割し、複数位置にヒンジ部３１ａ…，３１ｂ…を介在させることによりいわゆる多連式に連結してもよい。一方、測定装置取付器２０は、例示の構成に限定されるものではなく、各種形態の取付器を適用できるとともに、実施形態では、測定装置として、温度測定装置４１と圧力測定装置４２を例示したが、風量測定装置や塵埃測定装置等、各種測定装置を適用できる。
【図面の簡単な説明】
【００３７】
【図１】本発明の最良の実施形態に係る測定装置取付器用アダプタを送風ダクトに取付けた状態を示す正面図、
【図２】同測定装置取付器用アダプタの断面正面図、
【図３】同測定装置取付器用アダプタの平面図、
【図４】同測定装置取付器用アダプタ，測定装置取付器及び断面の送風ダクトを分離して示す正面図、
【図５】同測定装置取付器用アダプタの作用説明図、
【図６】同測定装置取付器用アダプタの使用説明図、
【図７】本発明の変更実施形態に係る測定装置取付器用アダプタの構成図、
【符号の説明】
【００３８】
１：測定装置取付器用アダプタ，２：支持盤部，２ｆ：支持盤部の支持面，２ｈ：挿通口，２ｒ：支持盤部の裏面，３ａ：取付プレート部，３ｂ：取付プレート部，３ａｃ：取付部位，３ｂｃ：取付部位，３ａｓ：取付プレート部の一端側，３ｂｓ：取付プレート部の一端側，４：シール部材，４ｓ：シール部材の一端面，４ｔ：シール部材の他端面，２０：測定装置取付器，３１ａ：ヒンジ部，３１ｂ：ヒンジ部，Ｄ：送風ダクト，Ｄｆ：送風ダクトの外周面，Ｒｄ：弾性素材，Ｒｆ：柔軟性を有する素材
【図１】
2010121862.tif 000003
【図２】
2010121862.tif 000004
【図３】
2010121862.tif 000005
【図４】
2010121862.tif 000006
【図５】
2010121862.tif 000007
【図６】
2010121862.tif 000008
【図７】
2010121862.tif 000009